(57)【特許請求の範囲】
【請求項１】
被加熱物を加熱する加熱室と、加熱手段と、操作パネル内部に取りつけられた前記加熱手段への電力供給を制御する電子回路と、前記加熱室を開閉するドアー本体と、ドアー本体を構成する金属材料よりなるドアーフレームと、前記ドアーフレームの外側を覆う樹脂材料よりなるドアーパネルと、当該ドアーパネルの貫通穴と、前記ドアーパネルの外周囲に取り付けられた金属部材とを備え、当該金属部材は、前記ドアーパネルの貫通穴を通り、前記ドアーフレームに接触して電気的に接続することを特徴とした高周波加熱装置。
【請求項２】
被加熱物を加熱する加熱室と、加熱室を構成する加熱室壁と、加熱手段と、加熱室の前面一方側壁に設けられ各種の操作スイッチを有する操作パネルと、前記操作パネル内部に取りつけられた加熱手段への電力供給を制御する電子回路と、前記加熱室の前面他方側壁にヒンジを介して取付けられ、前記加熱室の前面開口部を開閉するドアー本体と、前記ヒンジに結合し、ドアー本体を構成する金属材料よりなるドアーフレームと、前記ドアーフレームの外側を覆う樹脂材料よりなるドアーパネルと、当該ドアーパネルの貫通穴と、前記ドアーパネルの外周囲に取り付けられた金属化粧板と、当該金属化粧板には、前記ドアーパネルの貫通穴を通り、前記ドアーフレームに接触して電気的に接続する突起部とを備えてなる高周波加熱装置。
【請求項３】
金属化粧板の突起部は、ドアーパネルの貫通穴を通り抜けた後折り曲げられ、金属化粧板を前記ドアーパネルより脱落しないように保持してなる請求項２に記載の高周波加熱装置。
【発明の詳細な説明】
【０００１】
【発明の属する技術分野】
本発明は、加熱手段を制御する電子回路を有した高周波加熱装置に関するものである。
【０００２】
【従来の技術】
従来、この種の高周波加熱装置としては、例えば、特開平７−１２７８６６号公報に記載されているようなものがあった。図３は、前記公報に記載された従来の高周波加熱装置を示すものである。図４は、前記公報に記載された従来の高周波加熱装置のドアーの周囲部分の要部断面図に示すものである。
【０００３】
図３において、１は機器外殻、２はドアー本体、３は金属化粧板、６は操作パネルである。
【０００４】
図４において、３は金属化粧板、８はドアーフレーム、１１はドアーパネルである。
【０００５】
【発明が解決しようとする課題】
しかしながら、前記従来の構成では、静電気に帯電した使用者が、ドアーパネル１１の外周囲に取り付けられた金属化粧板３に触れると、静電気が放電し、操作パネル６に内装された電子回路の誤動作や破壊の原因になるという課題を有していた。
【０００６】
また、ドアーパネル１１は樹脂製材料で構成される事がほとんどであるが、この場合、金属化粧板３とドアーパネル１１とは金属と誘電体が積層する構成であり、金属化粧板３に印加された静電気は、コンデンサ効果により蓄積されるため、通常人体に帯電する静電気量の数倍の電気ネルギーとなる。従って、金属化粧板３に印加蓄積された静電気が、近接したドアーフレーム８や機器外殻１などに放電する時には、放電エネルギーがあまりにも大きいため、電子回路内での電気ノイズ対策をどのように施したとしても電子回路の誤動作や破壊が起こり易いという課題を有していた。
【０００７】
本発明は、前記従来の課題を解決するもので、簡単な構成で、電子回路の誤動作や破壊の原因となる静電気ノイズの発生を防ぐ、信頼性の高い高周波加熱装置を提供することを目的とする。
【０００８】
【課題を解決するための手段】
前記従来の課題を解決するために、本発明の高周波加熱装置は、ドアー本体を構成する金属材料よりなるドアーフレームと、ドアーフレームの外側を覆う樹脂材料よりなるドアーパネルと、ドアーパネルの外周囲に取り付けられた金属化粧板と、当該金属化粧板に、ドアーパネルの貫通穴を通り、ドアーフレームに接触して電気的に接続する突起部とを備えたものである。
【０００９】
これによって、静電気に帯電した使用者が、ドアーパネルの外周囲に取り付けられた金属化粧板に触れ、静電気が放電した場合でも、金属化粧板に印加された静電気は、直ちにドアーフレームに通じ、結合したヒンジを通して加熱室壁に接地されるため、過大な静電気ノイズを発生することがなく、電子回路の誤動作や破壊を防止する事が出来る。
【００１０】
【発明の実施の形態】
請求項１に記載の発明は、被加熱物を加熱する加熱室と、加熱手段と、操作パネル内部に取りつけられた前記加熱手段への電力供給を制御する電子回路と、前記加熱室を開閉するドアー本体と、ドアー本体を構成する金属材料よりなるドアーフレームと、前記ドアーフレームの外側を覆う樹脂材料よりなるドアーパネルと、当該ドアーパネルの貫通穴と、前記ドアーパネルの外周囲に取り付けられた金属部材とを備え、当該金属部材は、前記ドアーパネルの貫通穴を通り、前記ドアーフレームに接触して電気的に接続することにより、金属化粧板に印加された静電気ノイズが、直接ドアーフレームおよびヒンジを通して加熱室壁に接地されることになり、過大な静電気ノイズが発生する事なく、電子回路の誤動作や破壊を防止することができる。
【００１１】
請求項２に記載の発明は、加熱室の前面側壁にヒンジを介して取付けられ、前記加熱室の前面開口部を開閉するドアー本体と、前記ヒンジに結合し、ドアー本体を構成する金属材料よりなるドアーフレームと、前記ドアーフレームの外側を覆う樹脂材料よりなるドアーパネルと、当該ドアーパネルの貫通穴と、前記ドアーパネルの外周囲に取り付けられた金属化粧板と、当該金属化粧板には、前記ドアーパネルの貫通穴を通り、前記ドアーフレームに接触して電気的に接続する突起部とを備えることにより、金属化粧板に印加された静電気ノイズが、直接ドアーフレームおよびヒンジを通して加熱室壁に接地されることになり、過大な静電気ノイズが発生する事なく、電子回路の誤動作や破壊を防止することができる。
【００１２】
請求項３に記載の発明は、特に、請求項３に記載の高周波加熱装置の金属化粧板の突起部を前記ドアーパネルの貫通穴を通り抜けた後折り曲げることにより、金属化粧板がドアーパネルより脱落しないような保持構造となり、長期間の使用による金属化粧板の浮き、脱落など外観品位の低下を防止することができる。
【００１３】
また、突起部の折り曲げ部とドアーフレームとが積層して接触する構成とすることにより、ドアーフレームをドアーパネルに固定する際に、金属化粧板の折り曲げ部とドアーフレームとが圧接することになり、ドアーフレームと金属化粧板との電気的接続がより確実になるので、金属化粧板に印加された静電気が、ドアーフレームを通して加熱室壁に接地され易くなるので、より確実に電子回路の誤動作や破壊を防止することができる。
【００１４】
【実施例】
以下本発明の実施例について、図面を参照しながら説明する。
【００１５】
（実施例１）
図１は、本発明の第１の実施例における高周波加熱装置のドアー部の要部断面図を示すものである。
【００１６】
図１において、２６は金属化粧板３の一部を延伸した突起部であり、ドアーパネル１１の貫通穴２３と有機的に関連して、金属化粧板３に印加された静電気の導通経路を構成している（実施例１の構成）。
【００１７】
以上のように構成された高周波加熱装置について、以下にその動作、作用を説明する。
【００１８】
まず、金属化粧板３に印加された静電気は、ドアーパネル１１の貫通穴２３に差し込まれた金属化粧板３の突起部２６から直接ドアーフレーム８に導通し、ヒンジ（図示せず）を通して加熱室壁２４に接地されることになる。
【００１９】
以上のように、本実施例においては、金属化粧板３に設けられた突起部２６をドアーパネル１１の貫通穴２３に差し込み、ドアーフレーム８に接触させる構成とすることにより、突起部２６とドアーフレーム８とが直接電気的に接続するため、金属化粧板３に印加された静電気が、直接ドアーフレーム８に通じることになり、過大な静電気ノイズを発生することがないので、電子回路の誤動作や破壊を防止することができる。
【００２０】
また、本実施例の金属化粧板３に設けられた突起部２６と、ドアーパネル１１の貫通穴２３を複数個設けることにより、特に、金属化粧板３に印加された静電気ノイズがドアーフレーム８に導通しやすくなり、さらに電子回路を、静電気ノイズによる誤動作や破壊から守ることができる。
【００２１】
（実施例２）
図２は、本発明の第２の実施例の高周波加熱装置のドアー部の要部断面図である。図２において、２７は、前記金属化粧板３の一部を延伸した突起部２６を、操作パネル３の貫通穴２３を通り抜けた後に折り曲げたものであり、実施例１の構成と異なるところは突起部２６を折り曲げた点である。なお、実施例１と同一符号のものは同一構造を有し、説明は省略する。
【００２２】
まず、金属化粧板３の一部を延伸した突起部２６を、ドアーパネル１１の貫通穴２３を通り抜けた後に折り曲げると、ドアーパネル１１が金属化粧板３と折り曲げ部２７に挟み込まれ、その結果、金属化粧版３は固定される。
【００２３】
このことにより、金属化粧板３がドアーパネル１１より脱落しないような保持構造となり、長期間の使用による金属化粧板３の浮き、脱落など外観品位の低下を防止することができる。
【００２４】
以上のように、本実施例に置いては金属化粧板３の一部を延伸した突起部２６を、ドアーパネル１１の貫通穴２３を通り抜けた後に折り曲げることにより、金属化粧板３はドアーパネル１１に固定されることになり、長期間の使用による金属化粧板３の浮き、脱落など外観品位の低下を防止することができる。
【００２５】
また、本実施例のように、突起部２６の折り曲げ部２７とドアーフレーム８とが積層して接触する構成とすることにより、ドアーフレーム８をドアーパネル１１に固定する際に、折り曲げ部２７とドアーフレーム８とが圧接することになり、金属化粧板３に印加された静電気ノイズが、よりドアーフレーム８に通じ易くなるので、より確実に電子回路の誤動作や破壊を防止することができる。
【００２６】
また、本実施例の金属化粧板３に設けられた突起部２６の折り曲げ部２７とドアーパネル１１の貫通穴２３とを複数個設けることにより、特に、金属化粧板３の浮き、脱落など外観品位の低下をより確実に防止することができる。
【００２７】
【発明の効果】
以上のように、請求項１〜３に記載の発明によれば、電加熱手段を制御する電子回路を、静電気ノイズによる誤動作や破壊からより確実に守ることができ、さらに外観品位の低下をより確実に防止することができる。
【図面の簡単な説明】
【図１】  本発明の実施例１における高周波加熱装置のドアー部の要部断面図
【図２】  本発明の実施例２における高周波加熱装置のドアー部の要部断面図
【図３】  従来の高周波加熱装置の外観斜視図
【図４】  従来の高周波加熱装置のドアー部の要部断面図
【符号の説明】
３  金属化粧板
６  操作パネル
８  ドアーフレーム
１１  ドアーパネル
２３  ドアーパネルの貫通穴
２４  加熱室壁
２６  金属化粧板の突起部
２７  突起部の折り曲げ部
【図１】
0003915484.tif 000002
【図２】
0003915484.tif 000003
【図３】
0003915484.tif 000004
【図４】
0003915484.tif 000005